(57)【要約】【課題】ＡＧＣ回路の数を減少させて回路規模の簡略化と低コストを図ったＩＢＯＣデジタルラジオ放送受信機を提供する。【解決手段】中間周波数の信号を狭帯域のＩＦフィルタ３６にて帯域制限のうえＩＦ増幅器２１で増幅し、中間周波数の信号を広帯域のＩＦフィルタ３４にて帯域制限のうえＩＦ増幅器２０で増幅し、ＡＧＣ回路２７によりＩＦ増幅器２１のゲインを制御し、ＩＦ増幅器２１の出力信号をアナログ放送波用の復調器４４にて復調し、ＩＦ増幅器２０の出力信号をデジタル放送波用の復調器４２にて復調し、ＡＧＣ回路２７から出力されＩＦ増幅器２１のゲイン制御信号を直流増幅器５２にて増幅し、その増幅出力信号をＩＦ増幅器２０のゲイン制御信号としてＩＦ増幅器２０の出力信号レベルを、復調器４２において希望信号を復調することができる最低限のレベルに制御するようにした。【選択図】        図１
2005073097.tif 000002
【特許請求の範囲】
【請求項１】
受信信号を中間周波数の信号に変換する周波数変換手段と、前記周波数変換手段により変換された中間周波数の信号を入力とする狭帯域ＩＦフィルタと、前記周波数変換手段により変換された中間周波数の信号を入力とする広帯域ＩＦフィルタと、狭帯域ＩＦフィルタの出力を増幅する第１のＩＦ増幅器と、広帯域ＩＦフィルタの出力を増幅する第２のＩＦ増幅器と、第１の増幅器の出力信号を入力として復調するアナログ放送波用の第１の復調器と、第２の増幅器の出力信号を入力として復調するデジタル放送波用の第２の復調器と、第２の復調器から出力される復調出力の誤りを判定し判定結果に基づいて第１の復調器から出力される復調出力と第２の復調器から出力される復調出力との一方を選択して出力する選択手段と、第１のＩＦ増幅器の出力信号レベルを制御するＡＧＣ回路と、該ＡＧＣ回路から出力される第１のＩＦ増幅器のゲイン制御信号を増幅して第２のＩＦ増幅器のゲイン制御信号とし、第２のＩＦ増幅器のゲイン制御信号によるゲイン制御の下に第２のＩＦ増幅器の出力信号レベルを、第２の復調器において希望信号を復調することができる最低限のレベルに制御する直流増幅器とを備えたことを特徴とするＩＢＯＣデジタルラジオ放送受信機。
【請求項２】
請求項１記載のＩＢＯＣデジタルラジオ放送受信機において、ＡＧＣ回路は第１のＩＦ増幅器の出力信号レベルを第１の復調器による復調に最適なレベルに制御することを特徴とするＩＢＯＣデジタルラジオ放送受信機。
【発明の詳細な説明】
【技術分野】
【０００１】
本発明はイン・バンド・オン・チャンネル（（Ｉｎ  Ｂａｎｄ  Ｏｎ  Ｃｈａｎｎｅｌ）（ＩＢＯＣ））デジタルラジオ放送受信機に関する。
【背景技術】
【０００２】
ＩＢＯＣデジタルラジオ放送は、米国ではアイビキュイテイ・デジタル・コーポレーション（ｉＢｉｑｕｉｔｙ社）がＨＤラジオとして本放送する予定のデジタルラジオ放送である（例えば特許文献１参照）。
【特許文献１】特表２００２−５２９９５５号公報
【０００３】
ＩＢＯＣデジタルラジオ放送は、図４のＦＭＩＢＯＣデジタルラジオ方式のスペクトラムに示すように、および図５のＡＭＩＢＯＣデジタルラジオ方式のスペクトラムに示すように、既存のアナログラジオの帯域内の空いている部分に、デジタル放送信号を挿入し、アナログ放送とのサイマル放送およびデータ放送を行う方式である。
【０００４】
ＩＢＯＣデジタルラジオ放送では、図４および図５に示すように、アナログ変調信号の電力に比較してデジタル変調信号の電力は約２５ｄＢ低い信号をアナログ放送波の送信所とほぼ同じ所から送信することで、受信状態もほぼ同じ状態にすることにより、従来のアナログ専用の受信機に対して妨害を与えることを無くするようにしている。また、ＩＢＯＣデジタルラジオ放送受信機では受信状態がよいときにはデジタル放送波を受信し、受信状態が悪くなるとアナログ放送波の受信に切り換えることができるようにすることで、従来にアナログ専用の受信機と同じサービスエリアを確保しつつ、受信状態が良いときには高音質のデジタル放送を受信することができるようにしている。
【０００５】
この方式の放送は図４および図５に示すように、周波数帯域幅等、若干の相違はあるもののＦＭ／ＡＭ両方の放送で放送される。
【０００６】
一方、図６に示すような、ＲＦ増幅器１２、ＡＧＣ回路２４、ローカル発振器１４、ミキサ１６、ＩＦフィルタ１８、ＩＦ増幅器２０、ＡＧＣ回路２６、復調器２２からなる一般的なラジオ放送受信機では、アンテナから入力された信号は、ある程度図示しないＲＦフィルタで帯域制限された後、ＲＦ増幅器１２で増幅される。このとき受信したい希望波のみでなく隣接チャンネルなどの妨害波も同時に増幅される。ＲＦ増幅された信号はローカル発振器１４と共働するミキサ１６でＩＦ周波数の信号に変換されるが、ミキサ１６において信号が歪んで、混変調などが発生しないようにＡＧＣ回路２４によってＲＦ増幅器１２のゲイン調整がなされる。
【０００７】
ＲＦ増幅１２のゲイン調整、すなわちミキサ１６の入力レベルの調整は、例えば図７に示す構成のＡＧＣ回路２４によって、ＲＦ増幅器１２からの出力である希望波と隣接チャンネル妨害波のトータル信号電力を検波回路２８にて検波し、検波出力電圧とミキサ１６で歪まない信号レベルに相当する予め定めた基準電圧とを比較回路３０にて比較し、比較結果に基づく差電圧を直流増幅器３２にて増幅し、出力をＲＦ増幅器１２のゲイン制御信号として前記差電圧が０になるようにＲＦ増幅器１２のゲインを制御することによってなされる。
【０００８】
ミキサ１６で周波数変換されたＩＦ周波数の信号は、ＩＦフィルタ１８で希望信号だけに帯域制限され、さらにＩＦ増幅器２０で増幅され、復調器２２入力されて復調される。この場合に、復調器２２に入力される入力信号のレベルが最適なレベルになるように、図７の構成と同様に構成されたＡＧＣ回路２６によってＩＦ増幅器２０のゲイン調整がなされる。この場合のゲイン調整において、比較回路３０に入力される基準信号は復調器２２へ供給する最適な信号レベルに設定されており、直流増幅器３２の出力はＩＦ増幅器２０のゲイン制御信号としてＩＦ増幅器２０へ供給され、比較回路３０から出力される差電圧が０になるようにＩＦ増幅器２０のゲインを制御することによってなされる。
【０００９】
ここで、ＩＦフィルタ１８の通過帯域幅が、希望信号の帯域よりも広く帯域制限が十分でない場合は、隣接チャンネル妨害波がＩＦ増幅器２０以降に漏れ込み、ＡＧＣ回路２６も希望波と漏れ込んだ隣接チャンネル妨害波とのトータル信号電力でＩＦ増幅器２０のゲインが制御されるために、復調器２２に入力される希望波のレベルが相対的に下がってしまい、復調出力の品質に悪影響を与える。たとえ隣接チャンネル妨害波がなくても、ＩＦフィルタ１８の通過帯域幅が広いとそれだけ雑音信号も多く、復調器２２に入力されるために、復調出力の品質に悪影響を与える。
【００１０】
ＩＢＯＣデジタルラジオ放送受信機では、アナログ放送波の受信とデジタル放送波の受信とを切り換える場合、どちらかの放送波復調信号をオーディオ信号として出力をするかを決定するため、常に、アナログ放送波の受信状態とデジタル放送波の受信状態とを検出し、モニタしている必要がある。例えば、デジタル放送波の受信誤り率をモニタし、受信誤り率（以下、単に誤り率と記す）が悪いときはアナログ放送波のオーディオ信号を出力するように受信機を制御する。
【発明の開示】
【発明が解決しようとする課題】
【００１１】
この場合のＩＢＯＣデジタルラジオ放送受信機を、図６に示すＩＦフィルタ１８に代わって図８に示すように、デジタル放送波用のＩＦフィルタ３４とアナログ放送受信用のＩＦフィルタ３６とその一方を選択する選択スイッチ３８および４０とを設け、ＩＦ増幅器２０の出力をデジタル放送波用の復調器４２およびアナログ放送波用の復調器４４に供給して、復調器４２においてデジタル放送波の復調をし、復調器４４においてアナログ放送波の復調を行い、復調器４２の出力から誤り率を誤り率判定回路４６にて判定し、誤り率が予め定めた値を超えていないときは切換器４８にて復調器４２の出力を選択すると共に、切換制御器５０の制御の下に選択スイッチ３８および４０を切り換えてデジタル放送波用のＩＦフィルタ３４を選択し、誤り率が予め定めた値を超えているときは切換器４８にて復調器４４の出力を選択すると共に、切換制御器５０の制御の下に選択スイッチ３８および４０を切り換えてアナログ放送波用のＩＦフィルタ３６を選択する、復調器以前の回路を一系統にした、ＩＦ切換方式とすることが可能である。
【００１２】
しかし、図８に示すように構成したＩＦ切換方式のＩＢＯＣデジタルラジオ放送受信機では、アナログ放送波の受信時にＩＦフィルタ３６の通過帯域幅を最適通過帯域幅になるようにすると、フィルタの通過帯域幅が狭いためにデジタル放送波が通過できなくなり受信状態を復調器４２でモニタすることができなくなる。このために、ＩＦフィルタ３４および３６は常にデジタル放送波が通過することができる広帯域のＩＦフィルタを使用しなければならない。
【００１３】
この結果、アナログ放送波の受信時は、ＩＦフィルタ３６の通過帯域幅が広いため、雑音や隣接チャンネル妨害波の漏れが復調器４２および４４に侵入し、受信性能が劣化し、サービスエリアが従来のアナログ放送波の場合よりも狭くなってしまうという問題があった。
【００１４】
また、アナログ放送波の受信時はＩＦフィルタを狭帯域にし、デジタル放送波の受信時にはＩＦフィルタを広帯域に切り換える場合においては、アナログ放送波の受信中はデジタル放送波が存在するＩＢＯＣの信号か否かが判断できないため、一時的にデジタル放送波を受信することができるようにＩＦフィルタを広帯域に切り換える必要がある。しかしこの間上記と同一の理由により雑音が多いオーディオ信号が出力されたり、最悪の場合に音切れが生じてしまったりするという問題がある。また、デジタル放送波の復調には時間がかかるため、切り換えてすぐにはオーディオ信号が出力されないため、音切れが生ずるという問題がある。
【００１５】
そこで、常にアナログ放送波受信状態とデジタル放送波受信状態を検出し、いつでもどちらかのオーディオ信号を出力することができるようにするためには、アナログ放送波とデジタル放送波の両方を最適な状態で復調しておく必要がある。このために、それぞれの放送波を受信するための受信回路を持ち、それぞれのオーディオ信号出力を誤り率などで判定し、判定結果により切り換える２チューナ方式のＩＢＯＣデジタルラジオ放送受信機が考えられる。
【００１６】
その場合の一例は図９に示すごとく、２チューナ方式のＩＢＯＣデジタルラジオ放送受信機がこれである。２チューナ方式のＩＢＯＣデジタルラジオ放送受信機は、ＲＦ増幅器１２、ＡＧＣ回路２４、ローカル発振器１４、ミキサ１６、ＩＦフィルタ３４、ＩＦ増幅器２０、ＡＧＣ回路２６、デジタル放送波受信用の復調器４２からなる第１受信系統と、ＲＦ増幅器１３、ＡＧＣ回路２５、ローカル発振器１５、ミキサ１７、ＩＦフィルタ３６、ＩＦ増幅器２１、ＡＧＣ回路２７、アナログ放送波受信用の復調器４４からなる第２受信系統と、復調器４２の出力信号を受けて誤り率を判定する誤り率判定回路２６と、誤り率判定回路２６において判定した誤り率に基づいて復調器４２の出力信号と復調器４４の出力信号の一方を選択する切換器４８を備えている。
【００１７】
しかしながら図９に示した２チューナ方式のＩＢＯＣデジタルラジオ放送受信機によるときは、受信のために２つの受信系統を必要とし、回路が大型化し、さらに部品点数の増加から構成が複雑になると共に、コストが増加するという問題のほかに、ローカル発振器がそれぞれに必要なためにビートが発生し、これがオーディオ信号の品質を劣化させる原因となるという問題が生ずる。さらに、ＡＧＣ回路の数が増加し、ＡＧＣ回路の一部を構成する検波回路を多く必要とし、検波回路は一般的に温度特性を補正する必要があるほか、さらに素子のばらつきなどを補正するため回路や調整を多く必要とするという問題も生ずる。
【００１８】
そこで、ＩＦ周波数に変換した後をデジタル放送受信系とアナログ放送受信系との２系統に分割したＩＢＯＣデジタルラジオ放送受信機も考えられる。
【００１９】
ＩＦ周波数に変換した後をデジタル放送受信系とアナログ放送受信系との２系統に分割したＩＢＯＣデジタルラジオ放送受信機の一例を、図１０に示す。この例は図１０に示すように、ＲＦ増幅器１２、ＡＧＣ回路２４、ローカル発振器１４およびミキサ１６を共通にし、ＩＦフィルタ３４、ＩＦ増幅器２０、ＡＧＣ回路２６、デジタル放送波受信用の復調器４２からなる一系統と、ミキサ１６の出力を受けるＩＦフィルタ３６、ＩＦ増幅器２１、ＡＧＣ回路２７、アナログ放送波受信用の復調器４４からなる一系統と、復調器４２の出力信号を受けて誤り率を判定する誤り率判定回路２６、誤り率判定回路２６において判定した誤り率に基づいて復調器４２の出力信号と復調器４４の出力信号の一方を選択する切換器４８を備えて、ＩＦ増幅器により復調器に最適なレベルの信号を供給すると共に、一方の復調器の出力を選択する。
【００２０】
ＩＦ周波数に変換した後をデジタル放送受信系とアナログ放送受信系との２系統に分割したＩＢＯＣデジタルラジオ放送受信機のこの方式であれば、ローカル発振器は一つですみ、ビートの問題は解消し、回路規模も小さくなるが、ＡＧＣ回路の数は依然として多く、ＡＧＣ回路の一部を構成する検波回路を多く必要とし、検波回路は一般的に温度特性を補正する必要とするほか、さらに素子のばらつきなどを補正するため回路や調整を多く必要とするという問題が依然として残っている。
【００２１】
本発明は、ＡＧＣ回路の数を減少させて回路規模の簡略化とコストの低減を図ったＩＢＯＣデジタルラジオ放送受信機を提供することを目的とする。
【課題を解決するための手段】
【００２２】
本発明にかかるＩＢＯＣデジタルラジオ放送受信機は、受信信号を中間周波数の信号に変換する周波数変換手段と、前記周波数変換手段により変換された中間周波数の信号を入力とする狭帯域ＩＦフィルタと、前記周波数変換手段により変換された中間周波数の信号を入力とする広帯域ＩＦフィルタと、狭帯域ＩＦフィルタの出力を増幅する第１のＩＦ増幅器と、広帯域ＩＦフィルタの出力を増幅する第２のＩＦ増幅器と、第１の増幅器の出力信号を入力として復調するアナログ放送波用の第１の復調器と、第２の増幅器の出力信号を入力として復調するデジタル放送波用の第２の復調器と、第２の復調器から出力される復調出力の誤りを判定し判定結果に基づいて第１の復調器から出力される復調出力と第２の復調器から出力される復調出力との一方を選択して出力する選択手段と、第１のＩＦ増幅器の出力信号レベルを制御するＡＧＣ回路と、該ＡＧＣ回路から出力される第１のＩＦ増幅器のゲイン制御信号を増幅して第２のＩＦ増幅器のゲイン制御信号とし、第２のＩＦ増幅器のゲイン制御信号によるゲイン制御の下に第２のＩＦ増幅器の出力信号レベルを、第２の復調器において希望信号を復調することができる最低限のレベルに制御する直流増幅器とを備えたことを特徴とする。
【発明の効果】
【００２３】
本発明にかかるＩＢＯＣデジタルラジオ放送受信機によれば、周波数変換手段によって変換された中間周波数の信号中に隣接チャンネル妨害信号が存在する場合でも、狭帯域ＩＦフィルタによって隣接チャンネル妨害信号が除去され、かつＡＧＣ回路によってゲインが制御された第１のＩＦ増幅器によって増幅された中間周波数の信号が第１の復調器に供給されることになって、隣接チャンネル妨害信号の影響を受けずにアナログ放送波を受信をすることができることになる。
【００２４】
また、ＡＧＣ回路による第１のＩＦ増幅器のゲイン制御信号が直流増幅器によって増幅され、直流増幅器の出力信号が第２のＩＦ増幅器のゲイン制御信号と第２のＩＦ増幅器のゲインが制御されて、直流増幅器のゲインを調整することによって第２のＩＦ増幅器から第２の復調器へ、デジタル放送波を復調する第２の復調器で希望信号が復調できる最低レベルの中間周波数の信号が供給されることになって、隣接チャンネル妨害信号も少なく、第２の復調器が大レベルの妨害信号で影響を受けて、復調出力信号が歪まされたり第２の復調器が飽和したりすることなく、第２の復調器の内部のフィルタで妨害信号が除去されて、正常に復調が行われることになる。
【００２５】
また本発明にかかるＩＢＯＣデジタルラジオ放送受信機において、ＡＧＣ回路は第１のＩＦ増幅器の出力信号レベルを第１の復調器による復調に最適なレベルに制御するようにしてもよい。
【発明を実施するための最良の形態】
【００２６】
以下、本発明にかかるＩＢＯＣデジタルラジオ放送受信機を実施の形態によって説明する。
【００２７】
図１は本発明の実施の形態にかかるＩＢＯＣデジタルラジオ放送受信機の構成を示すブロック図である。
【００２８】
本発明の実施の形態にかかるＩＢＯＣデジタルラジオ放送受信機６０は、図１に示すように、ＲＦ増幅器１２、ＡＧＣ回路２４、ローカル発振器１４およびミキサ１６からなる周波数変換手段をアナログ放送波受信側およびデジタル放送波受信側に対して共通にして中間周波数の信号に変換する。したがって、アンテナから入力された信号は、ある程度図示しないＲＦフィルタで帯域制限された後、ＲＦ増幅器１２で増幅される。このとき受信したい希望波のみでなく隣接チャンネルなどの妨害波も同時に増幅される。ＲＦ増幅された信号はローカル発振器１４と共働するミキサ１６でＩＦ周波数の信号に変換されるが、ミキサ１６において信号が歪んで、混変調などが発生しないようにＡＧＣ回路２４によってＲＦ増幅器１２のゲイン調整がなされる。
【００２９】
ミキサ１６からの出力信号はデジタル放送波用の広帯域のＩＦフィルタ３４に供給され、ＩＦフィルタ３４によって帯域制限されたＩＦフィルタ３４からの出力はＩＦ増幅器２０に供給されて増幅され、デジタル放送波受信用の復調器４２に供給されて復調される。同様に、ミキサ１６からの出力信号はアナログ放送波用の狭帯域のＩＦフィルタ３６に供給され、ＩＦフィルタ３６によって帯域制限されたＩＦフィルタ３６からの出力はＩＦ増幅器２１に供給されて増幅され、アナログ放送波受信用の復調器４４に供給されて復調される。復調器４２の復調出力信号は誤り率を判定する誤り率判定回路４６に供給されて、誤り率判定回路４６において判定した誤り率に基づいて復調器４２の出力信号と復調器４４の出力信号の一方が切換器４８にて選択されて、切換器４８から送出される。
【００３０】
復調器４２に入力されるＩＦ増幅器２１の出力信号は、図７に示す構成と同様に構成されたＡＧＣ回路２７に供給されて、ＡＧＣ回路２７によってＩＦ増幅器２１のゲイン調整がなされる。この場合、比較回路３０（図７参照）に入力される基準信号は復調器４４にとって最適な信号レベルに設定されており、直流増幅器３２（図７参照）の出力はＩＦ増幅器２１のゲイン制御信号として比較回路３０から出力される差電圧が０になるようにＩＦ増幅器２１のゲインが制御される。したがって、復調器４４の入力信号レベルは復調器４４にとって復調に最適な信号レベルとなる。さらに、ＡＧＣ回路２７から出力されるＩＦ増幅器２１のゲイン制御信号は直流増幅器５２にも供給されて増幅され、直流増幅器５２の増幅出力はゲイン制御信号としてＩＦ増幅器２０に供給され、ＩＦ増幅２０の出力である希望信号を復調器４２にて復調することができる最低限のレベルに制御されて復調器４２に供給され、復調される。
【００３１】
上記のように構成されたＩＢＯＣデジタルラジオ受信機６０において、隣接チャンネル妨害信号が存在する場合でも、アナログ放送波を復調する系統の回路では、ミキサ１６からの出力信号は狭帯域のＩＦフィルタ３６によって隣接チャンネル妨害信号が除去され、かつＡＧＣ回路２７によってゲインが制御されたＩＦ増幅器２１によって増幅され、ＩＦ増幅器２１から復調器４４による復調に最適なレベルの信号が復調器４４に供給されることになって、隣接チャンネル妨害信号の影響を受けずに受信をすることができる。
【００３２】
一方、デジタル放送波を復調する系統の回路では、ミキサ１６からの出力信号は広帯域のＩＦフィルタ３６によって帯域制限され、かつＡＧＣ回路２７からのゲイン制御信号を直流増幅器５２によって増幅した信号によってゲイン制御されたＩＦ増幅器２０によって、復調器４２の入力信号が得られる。ゲインが調整された直流増幅器５２の増幅出力信号によりゲイン制御されたＩＦ増幅器２０からは、希望信号が復調できる最低レベルの中間周波数の信号が得られ、この中間周波数の信号が復調器４２に供給されることになって、隣接チャンネル妨害信号も少なく、復調器４２が大レベルの妨害信号で影響を受けて、復調出力信号が歪まされたり復調器４２が飽和したりすることなく、復調器４２の内部のフィルタで妨害信号が除去されて、正常に復調が行われる。
【００３３】
ここで、ＡＧＣ回路２７および直流増幅器５２による制御作用について、横軸に入力信号レベルを、縦軸に出力信号レベルおよびゲイン制御信号レベルを示した、図２に基づいて説明する。
【００３４】
図２において曲線ａは入力信号に対するＡＧＣ回路２７から出力されるＩＦ増幅器２１のゲイン制御信号を示し、このゲイン制御信号ａを直流増幅器５２による増幅によって入力信号対ゲイン制御信号の傾きが緩やかに制御された破線ｂに示す信号を得て、この信号ｂをゲイン制御信号としてＩＦ増幅器２０のゲインを制御することにより、曲線ｃに示すＩＦ増幅器２０の出力信号が曲線ｄに示すＩＦ増幅２１の出力信号に対して常に同じ割合だけ低下したレベルとなるように直流増幅器５２のゲインを調整する。
【００３５】
直流増幅器５２のゲインを上記のように調整することによって、ＩＦ増幅器２０の出力信号は隣接チャンネル妨害信号の影響を受けずに、常に必要な品質のオーディオ復調出力を復調器４２にて得ることができるＳ／Ｎの信号レベルにＩＦ増幅器２０によって制御されることになる。
【００３６】
この結果、前記したように、隣接チャンネル妨害信号が存在する場合でも、ミキサ１６からの出力信号は狭帯域のＩＦフィルタ３６によって隣接チャンネル妨害信号が除去され、かつＡＧＣ回路２７によってゲインが制御されたＩＦ増幅器２１によって得られた復調のために最適な中間周波数の信号が復調器４４に供給されることになって、隣接チャンネル妨害信号の影響を受けずに受信をすることができることになる。
【００３７】
また、デジタル放送波を復調する復調器４２では、希望信号が復調できる最低レベルの中間周波数の信号がＩＦ増幅器２１から供給されることになって、隣接チャンネル妨害信号も少なく、復調器４２が大レベルの妨害信号で影響を受けて、復調出力信号が歪まされたり復調器４２が飽和したりすることなく、復調器４２の内部のフィルタで妨害信号が除去されて、正常に復調が行われることは前記の通りである。
【００３８】
上記に対してＩＢＯＣデジタルラジオ放送受信機６０において、デジタル放送波用のＡＧＣ回路２６における検波回路の出力を用いたゲイン制御信号（図１０参照）またはアナログ放送波用のＡＧＣ回路２７における検波出力を用いたゲイン制御信号（図１０参照）のいずれか一方で、ＩＦ増幅器２０のゲインおよびＩＦ増幅器２１の両方のゲインを制御することも考えられる。
【００３９】
しかしこの場合に、例えば、隣接チャンネル妨害信号が存在する状態でＡＧＣ回路２７の検波回路の出力に基づいてＩＦ増幅器２０のゲインおよびＩＦ増幅器２１のゲインを制御しようとすると、ＡＧＣ回路２７における検波回路はＩＦフィルタ３６で隣接チャンネル妨害信号を除去した信号を検波しているので、ＩＦ増幅器２１の出力信号は復調器４４の最適入力レベルの信号レベルに増幅される。しかしこの場合は、ＡＧＣ回路２７における検波回路の出力に基づいてＩＦ増幅器２０のゲインが制御されており、かつＩＦフィルタ３４では隣接チャンネル妨害信号を通過させてくるので、隣接チャンネル妨害信号のレベルによってはＩＦ増幅器２０や復調器４２において信号が歪んで、デジタル放送波の復調が困難となる。
【００４０】
また上記とは逆に、隣接チャンネル妨害信号が存在する状態でＡＧＣ回路２６における検波回路の出力に基づいてＩＦ増幅器２０のゲインおよびＩＦ増幅器２１のゲインを制御しようとすると、ＩＦ増幅器２０からの出力は復調器４２で信号が歪まないようなレベルの信号が復調器４２に入力されるが、隣接チャンネル妨害信号のレベルが大きい場合、ほとんど隣接チャンネル妨害信号でＡＧＣ回路２６が制御されることになって、ＩＦ増幅器２１の希望信号レベルも小さくなって、復調器４４から出力されるオーディオ信号のＳ／Ｎも悪くなってしまう。
【００４１】
しかるに、デジタル放送波を受信するときは、復調したデータの誤りは誤り訂正などにより訂正されるため、復調器４２に入力される信号のＳ／Ｎある程度以上あればその信号の復調後のオーディオ信号の品質は一定に保たれることを利用し、また、アナログ放送波用のＡＧＣ回路２７によるゲイン制御信号は狭帯域ＩＦフィルタ３６により濾波された希望信号のみの信号レベルを用いた信号で、希望信号のＳ／Ｎと比例関係にある。ＩＢＯＣデジタルラジオ放送受信機６０では、ＩＦ増幅器２０の隣接チャンネル妨害信号のレベルとは関係なしに復調器４２への入力信号レベルが必要最低限のＳ／Ｎになる信号レベルになるように、をＡＧＣ回路２７の出力、つまり希望信号のレベル情報を用いて制御しているのである。
【００４２】
ＡＧＣ回路２６における検波回路の出力を用いたゲイン制御信号（図１０参照）またはＡＧＣ回路２７における検波出力を用いたゲイン制御信号（図１０参照）のいずれか一方で、ＩＦ増幅器２０のゲインおよびＩＦ増幅器２１の両方のゲインを制御する場合に生ずるような問題、すなわち復調器４２において復調が困難になったり、復調器４４から出力されるオーディオ信号のＳ／Ｎが悪くなるようなことは、ＩＢＯＣデジタルラジオ放送受信機６０では生じない。
【００４３】
次に、本発明の実施の他の形態にかかるＩＢＯＣデジタルラジオ放送受信機について説明する。図３は本発明の実施の他の形態にかかるＩＢＯＣデジタルラジオ放送受信機の構成を示すブロック図である。本発明の実施の他の形態にかかるＩＢＯＣデジタルラジオ放送受信機６２はフィリップス社のＡＭ／ＦＭ用ＲＦ／ＩＦ集積回路（ＴＥＦ６７００）６１を用いた例である。
【００４４】
ＡＭ／ＦＭ用ＲＦ／ＩＦ集積回路６１は、ＲＦ増幅器１２、ローカル発振器１４、ミキサ１６、ＡＧＣ回路２４、ＩＦ増幅器２１、ＩＦ増幅器２７のゲインを制御するＡＧＣ回路２７、ＡＧＣ回路２７の出力からＩＦ増幅器２１の出力信号レベルを検出するレベル検出回路５４を備えており、ＩＦ増幅器２１およびＡＧＣ回路２７をアナログ放送波受信用として使用する。ミキサ１６により変換されたＩＦ周波数の信号はアナログ放送波用の狭帯域のバンドパスフィルタ３６を介してＩＦ増幅器２１へ供給し、ＩＦ増幅器２１の増幅出力信号をアナログ放送波用の復調器４４に供給して復調する。
【００４５】
ミキサ１６により変換されたＩＦ周波数の信号はデジタル放送波用の広帯域のバンドパスフィルタ３４を介してＩＦ増幅器２０へ供給し、ＩＦ増幅器２０の増幅出力信号をデジタル放送波用の復調器４２に供給して復調する。復調器４２の復調出力は誤り率判定回路４６に供給されて、誤り率判定回路４６において判定した誤り率に基づいて復調器４２の出力信号と復調器４４の出力信号の一方が切換器４８にて選択されて、切換器４８から送出される。
【００４６】
ここで、ＡＧＣ回路２７の制御の下にＩＦ増幅器２１の増幅出力信号は、復調器４４における復調に最適な信号レベルに制御される。一方。レベル検出回路５４によって検出されたＩＦ増幅器２１の出力信号レベルは直流増幅器５６に供給されて、直流増幅器５６によって増幅され、その増幅出力はレベル変換器５８に供給されて、レベル変換器５８によって希望信号レベルと直流増幅器５６の出力信号レベルとの差が演算されて、演算結果に基づいてＩＦ増幅器２０のゲインが制御されて、復調器４２に入力される希望信号レベルが復調器４２で復調できる最低限の信号レベルに制御される。
【００４７】
ＩＢＯＣデジタルラジオ放送受信機６２において、ＩＦフィルタ３６、ＡＧＣ回路２７およびＩＦ増幅器２１を含むアナログ放送波受信用のＩＦ回路では、ＩＦフィルタ３６による帯域制限により隣接チャンネル妨害信号は除去され、ＡＧＣ回路２７によるゲイン制御によりＩＦ増幅器２１から、復調器４４による復調に最適なレベルの信号が復調器４４に供給されることになる。
【００４８】
一方、ＩＢＯＣデジタルラジオ放送受信機６２において、ＩＦフィルタ３４およびＩＦ増幅器２０を含むデジタル放送波受信用のＩＦ回路では、隣接チャンネル妨害信号が存在した場合でも、隣接チャンネル妨害信号を含む信号によってＩＦ増幅器２０のゲインが制御されるのではなく、レベル変換器５８の出力によって希望信号が復調器４２にて復調できる最低限のレベルになるように制御されるため、隣接チャンネル妨害信号が大きくても、復調器４２が飽和して復調ができなくなるようなことはない。
【００４９】
また、ＩＢＯＣデジタルラジオ放送受信機６２において、ＩＦ増幅器２０のゲインを制御するためのＡＧＣ回路を備える必要がなく、さらに、レベル検出回路５４がＡＭ／ＦＭ用ＲＦ／ＩＦ集積回路６１内に設けられているため部品点数が少なくてすみ、かつ回路の動作も安定している。
【図面の簡単な説明】
【００５０】
【図１】本発明の実施の形態にかかるＩＢＯＣデジタルラジオ放送受信機の構成を示すブロック図である。
【図２】本発明の実施の形態にかかるＩＢＯＣデジタルラジオ放送受信機におけるＡＧＣ回路の説明図である。
【図３】本発明の実施の他の形態にかかるＩＢＯＣデジタルラジオ放送受信機の構成を示すブロック図である。
【図４】ＦＭＩＢＯＣデジタルラジオ方式のスペクトラムを示す図である。
【図５】ＡＭＩＢＯＣデジタルラジオ方式のスペクトラムを示す図である。
【図６】一般的なラジオ放送受信機の構成を示すブロック図である。
【図７】ＡＧＣ回路の構成を示すブロック図である。
【図８】ＩＦ切換方式の従来のＩＢＯＣデジタルラジオ放送受信機の構成を示すブロック図である。
【図９】２チュ−ナ方式の従来のＩＢＯＣデジタルラジオ放送受信機の構成を示すブロック図である。
【図１０】ＩＦ２系統方式の従来のＩＢＯＣデジタルラジオ放送受信機の構成を示すブロック図である。
【符号の説明】
【００５１】
１２  ＲＦ増幅器
１４  ローカル発振器
１６  ミキサ
２０および２１  ＩＦ増幅器
２４、２６および２７  ＡＧＣ回路
３４  デジタル放送波用のフィルタ
３６  アナログ放送波用のフィルタ
４２  デジタル放送波用の復調器
４４  アナログ放送波用の復調器
４６  誤り率判定回路
４８  切換器
５２および５６  直流増幅器
５４  レベル検出回路
５８  レベル変換器
６０および６２  ＩＢＯＣデジタルラジオ放送受信機
【図１】
2005073097.tif 000003
【図２】
2005073097.tif 000004
【図３】
2005073097.tif 000005
【図４】
2005073097.tif 000006
【図５】
2005073097.tif 000007
【図６】
2005073097.tif 000008
【図７】
2005073097.tif 000009
【図８】
2005073097.tif 000010
【図９】
2005073097.tif 000011
【図１０】
2005073097.tif 000012